(57)【要約】【課題】耐久性が高く、湿式・乾式の両用に使用でき、蓄熱性，生産性及び取扱性にも優れた汎用型の蓄熱性ホットパックを提供する。【解決手段】蓄熱式のホットパック１０は、耐熱性を有する内袋１４とナイロン製の外袋１６からなる２重構造の袋体１２に、蓄熱体２０を充填して密封した構造となっている。前記袋体１６のナイロン生地には、各種表示１８Ａ，１８Ｂを設け、デザイン性の向上や製品管理性の向上を図っている。前記蓄熱体２０は、蓄熱性ゲル２２に、セラミックの微粉末２４と鉱石の微粉末２６を一定の割合で混合したものである。前記セラミックの微粉末２４及び鉱石の微粉末２６はともに、μｍオーダー（好ましくは４５μｍ）の粒度に粉砕されたものを用いる。ホットパック１０は、耐久性が高く、湿式・乾式の両設備に使用できる。【選択図】図２
2018033564.tif 000002
【特許請求の範囲】
【請求項１】
耐水性を有する内袋と、該内袋の外側を覆うナイロン製の外袋とからなる２重構造であって、内容物を充填した状態で密封されている袋体と、
該袋体の内部に充填された蓄熱体と、
を備えるとともに、
前記蓄熱体が、
蓄熱性ゲルと、セラミックの微粉末と、鉱石の微粉末の混合物であることを特徴とする蓄熱性ホットパック。
【請求項２】
前記セラミックの微粉末及び鉱石の微粉末は、それぞれ粒度がμｍオーダーの粉砕物であることを特徴とする請求項１記載の蓄熱性ホットパック。
【請求項３】
前記セラミックの微粉末及び鉱石の微粉末は、粒度が１μｍ〜１００μｍであることを特徴とする請求項２記載の蓄熱性ホットパック。
【請求項４】
前記蓄熱体は、
前記蓄熱性ゲルの割合が体積で５０％〜７０％、
前記セラミックの微粉末の割合が体積で８％〜１５％、
前記鉱石の微粉末の割合が体積で２０％〜３０％、
の範囲内で配合されていることを特徴とする請求項１〜３のいずれか一項に記載の蓄熱性ホットパック。
【請求項５】
前記外袋の外側に、油性樹脂インクによる表示を設けたことを特徴とする請求項１〜４のいずれか一項に記載の蓄熱性ホットパック。
【請求項６】
前記セラミックの微粉末が、シリカ，アルミナ，酸化鉄，酸化チタン，酸化カルシウム，酸化マグネシウム，酸化ナトリウムから選択される１種以上のセラミックの微粉末であることを特徴とする請求項１〜５のいずれか一項に記載の蓄熱性ホットパック。
【請求項７】
前記鉱石の微粉末が、トルマリン，ゼオライト，テラ鉱石，ブラックシリカ，ゲルマニウムから選択される１種以上の鉱石の微粉末であることを特徴とする請求項１〜６のいずれか一項に記載の蓄熱性ホットパック。
【発明の詳細な説明】
【技術分野】
【０００１】
本発明は、リハビリテーション等を行う医療機関などで使用される蓄熱性のホットパックに関し、更に具体的には、湿式・乾式の両用に使用できるホットパックの改良に関するものである。
【背景技術】
【０００２】
リハビリテーションの分野において、ホットパック（身体部位を熱したパックで１０分程度直接的に保温する）の需要は高く、リハビリテーションを行う医療機関，準医療機関，介護施設等において、開業時や設備投資時に設置される。多くのホットパックを導入している医療機関等では、湿式（水を電気等で温め、その中にホットパックを直接入れて温める方式）が主流となっているが、ホットパックの扱いについては９０℃程度のお湯に直接入れて漬けるなど、管理面や取扱性などに課題がある。このほか、湿式では、トラッキング現象（コンセントの場所が湿気の多い所や、水漏れしやすい所にあると、溜まった埃が湿気を呼び、付着した埃と湿気によって、プラグの両極間で火花放電が繰り返す現象）が生じるおそれがある。
【０００３】
ホットパック及びそれを温める機器には、上述した湿式のほか乾式（ウォーマー内部を乾式ヒータにより恒温とし、その熱によりパックを温める方式）もある。乾式では、前記トラッキング現象が発生するおそれが低いことから、ホットパックを使用する施設では、湿式から乾式へと変わりつつある。乾式のホットパックとしては、例えば、下記特許文献１の「保温及び保冷用パック部材」が開示されている。
【先行技術文献】
【特許文献】
【０００４】
【特許文献１】特開２００７−２０９５９５号公報
【発明の概要】
【発明が解決しようとする課題】
【０００５】
しかしながら、既存施設において、現状では、ウォーマー買替需要は低く、現在も湿式ウォーマーを使用し、パックを１年に一度入れ替える施設が圧倒的多数の状況である。この主な理由として、リハビリテーション分野における施設内予算獲得の難易度の高さや、低い医療報酬（温熱療法）が考えられる。湿式用ホットパックは、シリカゲル（おむつ等に代表される吸水粉）を使用し吸水させているため、一年ほどで吸水力と蓄熱力が極度に低下し、定期的な購入が必要となる。しかし、その低い予算内でもパックを一定年数（３年から５年程度）の耐用性のあるパックに変更することで、施設における実質経費の削減が可能である。また、現場からも、湿式のパックの耐久性向上の要望は高い。一方、乾式用ホットパックについては多くの商品が蓄熱性粉末素材や鉱石等を利用した遠赤外効果に特化しているが、乾式用ウォーマーしか使用できず、導入設備投資が大きくなる。
【０００６】
本発明は、以上のような点に着目したもので、耐久性が高く、湿式・乾式の両用に使用でき、蓄熱性，生産性及び取扱性にも優れた汎用型の蓄熱性ホットパックを提供することを、その目的とする。
【課題を解決するための手段】
【０００７】
本発明は、耐水性を有する内袋と、該内袋の外側を覆うナイロン製の外袋とからなる２重構造であって、内容物を充填した状態で密封されている袋体と、該袋体の内部に充填された蓄熱体と、を備えるとともに、前記蓄熱体が、蓄熱性ゲルと、セラミックの微粉末と、鉱石の微粉末の混合物であることを特徴とする。
【０００８】
主要な形態の一つは、前記セラミックの微粉末及び鉱石の微粉末は、それぞれ粒度がμｍオーダーの粉砕物であることを特徴とする。他の形態の一つは、前記セラミックの微粉末及び鉱石の微粉末は、粒度が１μｍ〜１００μｍであることを特徴とする。更に他の形態の一つは、前記蓄熱体は、前記蓄熱性ゲルの割合が体積で５０％〜７０％、前記セラミックの微粉末の割合が体積で８％〜１５％、前記鉱石の微粉末の割合が体積で２０％〜３０％、の範囲内で配合されていることを特徴とする。
【０００９】
更に他の形態の一つは、前記外袋の外側に、油性樹脂インクによる表示を設けたことを特徴とする。更に他の形態の一つは、前記セラミックの微粉末が、シリカ，アルミナ，酸化鉄，酸化チタン，酸化カルシウム，酸化マグネシウム，酸化ナトリウムから選択される１種以上のセラミックの微粉末であることを特徴とする。更に他の形態の一つは、前記鉱石の微粉末が、トルマリン，ゼオライト，テラ鉱石，ブラックシリカ，ゲルマニウムから選択される１種以上の鉱石の微粉末であることを特徴とする。本発明の前記及び他の目的，特徴，利点は、以下の詳細な説明及び添付図面から明瞭になろう。
【発明の効果】
【００１０】
本発明によれば、耐水性を有する内袋と、該内袋の外側を覆うナイロン製の外袋とからなる２重構造であって、内容物を充填した状態で密封されている袋体と、該袋体の内部に充填された蓄熱体と、を備えるとともに、前記蓄熱体を、蓄熱性ゲルと、セラミックの微粉末と、鉱石の微粉末の混合物とした。このため、耐久性が高く、湿式・乾式の両用に使用でき、蓄熱性，生産性及び取扱性にも優れた汎用型の蓄熱性ホットパックが得られるという効果がある。
【図面の簡単な説明】
【００１１】
【図１】本発明の実施例の１のホットパックの外観を示す平面図である。
【図２】前記実施例１を示す図であり、(A)は前記図１を＃Ａ−＃Ａ線に沿って切断し矢印方向に見た断面図，(B)は使用時の様子を示す図である。
【発明を実施するための形態】
【００１２】
以下、本発明を実施するための最良の形態を、実施例に基づいて詳細に説明する。
【実施例１】
【００１３】
＜概要＞・・・本発明の蓄熱性ホットパック（以下「ホットパック」とする）は、身体部位を熱したパックで１０分程度直接的に保温するためのもので、リハビリテーションを行う医療機関，準医療機関，介護施設（以下「施設等」とする）において、使用されるものである。ホットパックのうち、乾式対応のホットパックは、新規医療機関や介護施設開業時にはそのニーズを拡大している。その一方で、既存の医療機関や介護施設等では、湿式タイプのホットパックの耐久性向上の要望も高い。
【００１４】
そこで、本発明では、蓄熱性及び耐久性が高く、湿式・乾式の両用に使用可能であって、生産性や取扱性にも優れた蓄熱性ホットパックを提供する。これにより、従来、多くのホットパックは消耗品として位置づけされているが、耐久性と汎用性を高めることにより、多くの医療機関や介護施設等で受容性が高まると期待される。具体的には、遠赤外放射が期待できる鉱石（トリマリンやゼオライトなどの自然鉱石）と、セラミックを粉砕した粒子状の粉末（以下、粒子状の粉末を「微粉末」とする）と、蓄熱のためのゲルを、一定比率で混ぜ合わせたものを蓄熱体とする。
【００１５】
また、このような蓄熱体を収納するためには、収容袋の耐久性等も必須となることから、本発明では、耐熱性及び耐水性、防水性を兼ね備えたナイロン製生地の内側にビニールを設けた２重構造とした。前記２重構造の袋体に、前記蓄熱体を収容することにより、従来にない蓄熱性ホットパックが得られ、湿式恒温器・乾式恒温器などの使用環境や使用条件を特定することなく、既存の恒温器を使用することが可能となる。
【００１６】
＜具体例＞・・・次に、図１及び図２を参照しながら、本発明の実施例１を説明する。図１は、本実施例のホットパックの外観を示す平面図である。図２(A)は、前記図１を＃Ａ−＃Ａ線に沿って切断し矢印方向に見た断面図，図２(B)は使用時の様子を示す図である。これらの図に示すように、本実施例のホットパック１０は、耐水性を有する内袋１４と、該内袋１４の外側を覆う外袋１６とからなる２重構造の袋体１２の内側に、蓄熱体２０を充填し、前記袋体１２の縁部１２Ａ〜１２Ｃを密封した構造となっている。密封は、例えば、公知の熱融着等により行われる。
【００１７】
前記内袋１４としては、耐水性，耐熱性及び可撓性を有するものであれば、どのようなものであってもよいが、本実施例では、ビニール袋が利用される。前記外袋１６としては、耐久性があるナイロンが用いられる。前記ナイロン製の外袋１６の表面には、油性樹脂インクプリンター等により、各種表示１８Ａ，１８Ｂが設けられている。該表示１８Ａ，１８Ｂは、前記ホットパック１０を使用する顧客等の要望に応じて、サイズや製造元、施設名などを表示するようにしてもよい。図示の例では、表示１８Ａは施設名、表示１８Ｂはホットパックのシリアルナンバーを表示している。多くのナイロン製生地は単色が多く、デザイン性やプレゼンテーション性を欠くが、本発明では、デザイン性を高めるために、樹脂インク対応型プリンタ等を用いて、ホットパック用ナイロン生地に印刷をして、差別化を図っている。
【００１８】
前記蓄熱体２０は、本実施例では、蓄熱性ゲル２２に、セラミックの微粉末２４と鉱石の微粉末２６を混合したものを用いている。前記蓄熱性ゲル２２としては、例えば、ＣＭＣ（カルボキシメチルセルロース）が用いられるが、他の公知の各種の蓄熱性ゲルを用いてよい。また、前記セラミックの微粉末２４としては、例えば、粒度４５μｍのシリカ（ＳｉＯ２）等が用いられ、前記鉱石の微粉末２６としては、例えば、粒度４５μｍのトルマリンやゼオライト，テラ鉱石，ブラックシリカ，ゲルマニウム等が用いられる。なお、前記セラミックの微粉末２４及び鉱石の微粉末２６の粒度は、１μｍ〜１００μｍの範囲であればよいが、好ましくは４５μｍ前後とすると、より多くの微粉末鉱石を撹拌することが可能になり、鉱石の持つ熱性を多く体現できるという観点から都合がよい。なお、前記セラミックや鉱石は、一種類のみを使用してもよいし、複数種類を混ぜて使用してもよい。本実施例では、例えば、セラミックの微粉末２４としては、遠赤外線効果を高めるため、厳選した７種類のセラミック原料をブレンドしたものを用いている。具体的には、シリカ（ＳｉＯ２），アルミナ（Ａｌ２Ｏ３），酸化鉄（Ｆｅ２Ｏ３），酸化チタン（ＴｉＯ２），酸化カルシウム（ＣａＯ），酸化マグネシウム（ＭｇＯ），酸化ナトリウム（Ｎａ２Ｏ）の７種類のセラミック原料を用いている。また、鉱石の微粉末２６としては、上記記載の複数種から、撹拌性が高く、蓄熱性ゲル２２との混合が容易なものから選択される二種以上のものを用いてもよい。
【００１９】
前記鉱石の特徴の一例を示すと、例えば、次のとおりである。
ａ，ブラックシリカパウダー：非常に温まりやすく、高い遠赤外線放射を特徴とする天然鉱石である。
ｂ，トルマリンパウダー：結晶構造による微弱電流やマイナスイオンを発生する天然鉱石であり、遠赤外線効果がある。
ｃ，テラヘルツパウダー：遠赤外線より温まりやすく、更に体に浸透するとされるテラヘルツ波を放出する人工鉱石である。
ｄ，ゲルマニウム鉱石パウダー：３２℃以上で電子を放出し、温浴により効力を発揮する。新陳代謝・発汗性をよくする。
ｅ，ゼオライトパウダー：遠赤外線効果がある。また、多孔質のため、微細な多孔により臭いの脱臭・吸着効果を持つ。
【００２０】
以上のような蓄熱性ゲル２２，セラミックの微粉末２４，鉱石の微粉末２６の配合比は、体積でみて、蓄熱性ゲルが６６％，セラミックの微粉末２４が１０％，鉱石の微粉末２６が２４％とすると、蓄熱性等において優れることが確認されている。なお、上記配合比は一例であり、例えば、蓄熱性ゲル２２が５０％〜７０％，セラミックの微粉末２４が８％〜１５％，鉱石の微粉末２６が２０％〜３０％の範囲内で、適宜調整可能である。以上のような構成のホットパック１０は、例えば、図２(B)に示すように、乾式恒温器３０や、湿式恒温器４０で温められ、同図に示すように、人体５０の身体部位に当てて使用され、その部位を温める。
【００２１】
このように、実施例１によれば、次のような効果がある。
(1)耐水性を有する内袋１４とナイロン製の外袋１６からなる２重構造の袋体１２に、蓄熱体２０を充填して密封し、前記蓄熱体２０として、蓄熱性ゲル２２に、セラミックの微粉末２４と鉱石の微粉末２６を混合したものを用いたので、蓄熱性及び耐久性が向上するとともに、湿式・乾式の両用に使用可能である。また、汎用型とすることで、導入設備費が既存施設の場合でも必要なくなり、初期投資を純粋にホットパックのみとすることが可能となる。
(2)前記セラミックの微粉末２４及び鉱石の微粉末２６を、μｍオーダー（好ましくは、４５μｍ程度）とすることにより、より多くの微粉末の鉱石を撹拌することが可能になり、鉱石の持つ熱性を多く体現できるという効果がある。
(3)前記蓄熱性ゲル２２，セラミックの微粉末２４，鉱石の微粉末２６を所定の配合比で混ぜ合わせたため、蓄熱性に優れる。
(4)外袋１４のナイロン生地に印刷による表示１８Ａ，１８Ｂを設けることとしたので、デザイン性が向上する。また、シリアル番号を印字することにより、製品（ホットパック）の販売管理が容易になるほか、従来品との差別化を図ることができる。
【００２２】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例１では、セラミックの微粉末２４及び鉱石の微粉末２６の最適粒度として４５μｍ程度としたが、これも一例であり、１μｍ〜１００μｍの範囲内であれば、同様の効果を奏する範囲内で適宜変更可能である。
(2)前記実施例で示した材質も一例であり、同様の効果を奏する範囲内で適宜変更可能である。
(3)前記実施例で示した蓄熱性ゲル２２，セラミックの微粉末２４，鉱石の微粉末２６の配合比率も一例であり、蓄熱性ゲル２２が５０％〜７０％，セラミックの微粉末２４が８％〜１５％，鉱石の微粉末２６が２０％〜３０％の範囲内で、適宜調整可能である。
(4)前記実施例では、ナイロン製の外袋１６に樹脂インクにより各種表示１８Ａ，１８Ｂを設けることとしたが、これも一例であり、表示１８Ａ，１８Ｂは必要に応じて設ければよい。また、表示の内容も、施設名，会社ロゴ，広告，シリアルナンバーなど、任意の内容としてよい。
(5)前記実施例では、医療機関や介護施設等での利用を例に挙げて説明したが、一般家庭で使用することを妨げるものではない。
【産業上の利用可能性】
【００２３】
本発明によれば、耐水性を有する内袋と、該内袋の外側を覆うナイロン製の外袋とからなる２重構造であって、内容物を充填した状態で密封されている袋体と、該袋体の内部に充填された蓄熱体と、を備えるとともに、前記蓄熱体を、蓄熱性ゲルと、セラミックの微粉末と、鉱石の微粉末の混合物とした。このため、蓄熱性及び耐久性が高く、湿式・乾式の両用に使用でき、生産性及び取扱性にも優れているので、蓄熱性ホットパックの用途に適用できる。特に、リハビリテーション用のホットパックとして好適である。
【符号の説明】
【００２４】
１０：ホットパック（蓄熱式ホットパック）
１２：袋体
１２Ａ〜１２Ｃ：縁部
１４：内袋
１６：外袋
１８Ａ，１８Ｂ：表示
２０：蓄熱体
２２：蓄熱性ゲル
２４：セラミックの微粉末
２６：鉱石の微粉末
３０：乾式恒温器
４０：湿式恒温器
５０：人体
【図１】
2018033564.tif 000003
【図２】
2018033564.tif 000004